(57)【要約】【課題】  仮設足場を構成する部材である仮設足場用部材を組み立てる際に組立時の音を減少させることのできる仮設足場用部材を提供しようとする。【解決手段】  従来の仮設足場を構成する部材である仮設足場用部材に変わって、管状の鋼材でできた棒状部と該棒状部の両端に固定され他の仮設足場用部材に連結できる１対の連結部とを有する本体と、前記棒状部を形成する管状の鋼材の内部に挿入された長尺の構造体と、を備える、ものとした。【選択図】    図１
2019094618.tif 000002
【特許請求の範囲】
【請求項１】
仮設足場を構成する部材である仮設足場用部材であって、
管状の鋼材でできた棒状部と該棒状部の端部に固定され他の仮設足場用部材に連結できる連結部とを有する本体と、
前記棒状部を形成する管状の鋼材の内部に挿入された構造体と、
を備える、
ことを特徴とする仮設足場用部材。
【請求項２】
前記構造体が前記棒状部を形成する管状の鋼材の内壁に接触する、
ことを特徴とする請求項１に記載の仮設足場用部材。
【請求項３】
前記構造体が前記棒状部を形成する管状の鋼材の内壁に挿入される様に板状の鋼材を折り曲げて形成される、
ことを特徴とする請求項２に記載の仮設足場用部材。
【請求項４】
前記構造体が板状の鋼材を断面が円形または多角形の輪郭を持つように曲げてできた筒状の部材である、
ことを特徴とする請求項３に記載の仮設足場用部材。
【請求項５】
前記構造体が板状の鋼材を断面が多角形の輪郭を持つように折り曲げてできた筒状の部材であり、
前記多角形の角部が前記棒状部を形成する管状の鋼材の内壁に接触する、
ことを特徴とする請求項４に記載の仮設足場用部材。
【請求項６】
前記構造体が前記連結部を他の仮設足場用部材の被連結部に連結させる際にハンマーで打撃する打撃点を含む本体の長手方向の領域に重複する様に配される、
ことを特徴とする請求項５に記載の仮設足場用部材。
【請求項７】
１対の前記構造体を
備え、
一対の前記構造体が前記棒状部の両端の側に別れて配される、
ことを特徴とする請求項６に記載の仮設足場用部材。
【請求項８】
前記構造体が前記連結部を他の仮設足場用部材の被連結部に連結させる際にハンマーで打撃する打撃点を含む本体の長手方向の領域に重複する様に配される、
ことを特徴とする請求項１に記載の仮設足場用部材。
【請求項９】
１対の前記構造体を
備え、
一対の前記構造体が前記棒状部の両端部の側に別れて配される、
ことを特徴とする請求項１に記載の仮設足場用部材。
【請求項１０】
仮設足場用部材が起立する他の仮設足場様部材である支柱に前記連結部を連結して水平に延びる手摺である、
ことを特徴とする請求項１に記載の仮設足場用部材。
【発明の詳細な説明】
【技術分野】
【０００１】
本発明は、仮設足場を構成する部材である仮設足場用部材に係る。特に、くさび方式を用いて組み立てられる仮設足場を構成する部材である仮設足場用部材に関する。
【背景技術】
【０００２】
いろいろな目的で、仮設足場を利用する。
例えば、建築現場や建物のメンテナンス現場では、作業の容易と作業員の安全のために仮設足場を用いる。
【０００３】
仮設足場は、仮設足場用部材を組み立てて作られる。
仮設足場は、クランプ方式の仮設足場とくさび方式の仮設足場とに分類される。
クランプ方式の仮設足場は、仮設足場用部材をクランプにより連結して組立てられる。
くさび方式の仮設足場は、くさび効果を持ちいて仮設足場用部材を組み立てられる。
通常の仮設足場では、その特徴を生かしてクランプ方式とくさび方式を混在させて仮設足場用部材を組み立てることがある。
くさび方式の仮設足場用部材を組み立てるには、一方の仮設足場用部材の連結部を他方の仮設足場用部材の被連結部に連結させる。
例えば、連結部はくさび形状をしたものであり、被連結部はパイプ状の本体に固定されるコの字状のコマであり、連結部のくさび形状を被連結部のコの字状のコマにくい込ませて一方の仮設足場用部材を他方の仮設足場用部材に連結させる。
通常の現場では、作業員は、仮設足場用部材の本体部の連結部を固定した側にある打撃点をハンマーで叩いて、連結部と被連結部との連結を確実にしている。
【０００４】
仮設足場を組み立てるためハンマーで仮設足場用部部材を叩く際に、高い金属音が発生する。この金属音は、作業現場の近傍の住民に耳障りであり、またはその作業をする作業員にとっても耳障りである。
そのため、上記の金属音を減少させたいという要請があった。
【発明の概要】
【発明が解決しようとする課題】
【０００５】
本発明は以上に述べた問題点に鑑み案出されたもので、仮設足場を構成する部材である仮設足場用部材を組み立てる際に組立時の音を減少させることのできる仮設足場用部材を提供しようとする。
【課題を解決するための手段】
【０００６】
上記目的を達成するため、本発明に係る仮設足場を構成する部材である仮設足場用部材であって、管状の鋼材でできた棒状部と該棒状部の両端に固定され他の仮設足場用部材に連結できる１対の連結部とを有する本体と、前記棒状部を形成する管状の鋼材の内部に挿入された長尺の構造体と、を備える、ものとした。
【０００７】
上記本発明の構成により、本体が、管状の鋼材でできた棒状部と該棒状部の端部に固定され他の仮設足場用部材に連結できる連結部とを有する。構造体が、前記棒状部を形成する管状の鋼材の内部に挿入された部材である。
その結果、本体がハンマーにより打撃された時に本体の振動と構造体の振動が干渉しあい打撃音が減少する。
【０００８】
以下に、本発明の実施形態に係る仮設足場用部材を説明する。本発明は、以下に記載した実施形態のいずれか、またはそれらの中の二つ以上が組み合わされた態様を含む。
【０００９】
本発明の実施形態に係る仮設足場用部材は、前記構造体が前記棒状部を形成する管状の鋼材の内壁に接触する。
上記の実施形態の構成により、前記構造体が前記棒状部を形成する管状の鋼材の内壁に接触する。
その結果、本体がハンマーにより打撃された時に本体の振動と構造体の振動が干渉しあい打撃音が減少する。
【００１０】
本発明の実施形態に係る仮設足場用部材は、前記構造体が前記棒状部を形成する管状の鋼材の内壁に挿入される様に板状の鋼材を折り曲げて形成される。
上記の実施形態の構成により、前記構造体が前記棒状部を形成する管状の鋼材の内壁に挿入される様に板状の鋼材を折り曲げて形成される。
その結果、本体がハンマーにより打撃された時に本体の振動と構造体の板状の鋼材の振動が干渉しあい打撃音が減少する。
【００１１】
本発明の実施形態に係る仮設足場用部材は、前記構造体が板状の鋼材を断面が円形または多角形の輪郭を持つように曲げてできた筒状の部材である。
上記の実施形態の構成により、前記構造体が板状の鋼材を断面が円形または多角形の輪郭を持つように曲げてできた筒状の部材である。
その結果、本体がハンマーにより打撃された時に本体の振動と構造体の円形または多角形に折り曲げられた板状の鋼材の振動が干渉しあい打撃音が減少する。
【００１２】
本発明の実施形態に係る仮設足場用部材は、前記構造体が板状の鋼材を断面が多角形の輪郭を持つように折り曲げてできた筒状の部材であり、前記多角形の角部が前記棒状部を形成する管状の鋼材の内壁に接触する、。
上記の実施形態の構成により、前記構造体が板状の鋼材を断面が多角形の輪郭を持つように折り曲げてできた筒状の部材であり、前記多角形の角部が前記棒状部を形成する管状の鋼材の内壁に接触する
その結果、本体がハンマーにより打撃された時に本体の振動と構造体の多角形に折り曲げられた板状の鋼材の振動が干渉しあい打撃音が減少する。
【００１３】
本発明の実施形態に係る仮設足場用部材は、前記構造体が前記連結部を他の仮設足場用部材の被連結部に連結させる際にハンマーで打撃する打撃点を含む本体の長手方向の領域に重複する様に配される。
上記の実施形態の構成により、前記構造体が前記連結部を他の仮設足場用部材の被連結部に連結させる際にハンマーで打撃する打撃点を含む本体の長手方向の領域に重複する様に配される。
その結果、本体がハンマーにより打撃された時に本体の振動と板状の鋼材の振動がより干渉しあい打撃音が減少する。
【００１４】
本発明の実施形態に係る仮設足場用部材は、１対の前記構造体を備え、一対の前記構造体が前記棒状部の両端部の側に別れて配される。
上記の実施形態の構成により、一対の前記構造体が前記棒状部の両端部の側に別れて配される。
その結果、本体の両端部がハンマーにより打撃された時に本体の振動と板状の鋼材の振動がより干渉しあい打撃音が減少する。
【００１５】
本発明の実施形態に係る仮設足場用部材は、仮設足場用部材が、起立する他の仮設足場様部材である支柱に前記連結部を連結して水平に延びる手摺である。
上記の実施形態の構成により、仮設足場用部材が、起立する他の仮設足場様部材である支柱に前記連結部を連結して水平に延びる手摺である。
その結果、手摺がハンマーにより打撃された時に手摺の本体の振動と構造体の振動が干渉しあい打撃音が減少する。
【発明の効果】
【００１６】
以上説明したように、本発明に係る仮設足場様部材は、その構成により、以下の効果を有する。
端部に他の仮設足場用部材に連結できる連結部を固定された棒状部の管状の内部に構造部を挿入される様にしたので、本体がハンマーにより打撃された時に本体の振動と構造体の振動が干渉しあい打撃音が減少する。
また、前記構造体が前記棒状部を形成する管状の鋼材の内壁に接触する様にしたので、本体がハンマーにより打撃された時に本体の振動と構造体の振動が干渉しあい打撃音が減少する。
また、前記構造体が前記棒状部を形成する管状の鋼材の内壁に挿入される様に板状の鋼材を折り曲げて形成される様にしたので、本体がハンマーにより打撃された時に本体の振動と構造体の板状の鋼材の振動が干渉しあい打撃音が減少する。
また、前記構造体が板状の鋼材を断面が円形または多角形の輪郭を持つように曲げてできた筒状の部材である様にしたので、本体がハンマーにより打撃された時に本体の振動と構造体の円形または多角形に折り曲げられた板状の鋼材の振動が干渉しあい打撃音が減少する。
また、前記構造体が板状の鋼材を断面が多角形の輪郭を持つように折り曲げてできた筒状の部材であり、
前記多角形の角部が前記棒状部を形成する管状の鋼材の内壁に接触する様にしたので、本体がハンマーにより打撃された時に本体の振動と構造体の多角形に折り曲げられた板状の鋼材の振動が干渉しあい打撃音が減少する。
また、前記構造体が前記連結部を他の仮設足場用部材の被連結部に連結させる際にハンマーで打撃する打撃点を含む本体の長手方向の領域に重複する様に配される様にしたので、本体がハンマーにより打撃された時に本体の振動と板状の鋼材の振動がより干渉しあい打撃音が減少する。
また、一対の構造体が前記棒状部の両端部の側に別れて配される様にしたので、本体の両端部がハンマーにより打撃された時に本体の振動と板状の鋼材の振動がより干渉しあい打撃音が減少する。
また、起立する他の仮設足場様部材である支柱に前記連結部を連結して水平に延びる手摺に本願構造を採用したので、手摺がハンマーにより打撃された時に手摺の本体の振動と構造体の振動が干渉しあい打撃音が減少する。
従って、仮設足場を組み立てる際に組立時の音を減少させることのできる仮設足場用部材を提供できる。
【図面の簡単な説明】
【００１７】
【図１】本発明の実施形態に係る仮設足場用部材の断面図である。
【図２】本発明の実施形態に係る仮設足場用部材の拡大断面図である。
【図３】本発明の実施形態に係る仮設足場用部材の側面側面図である。
【図４】本発明の実施形態に係る仮設足場の斜視図である。
【図５】本発明の実施形態に係る仮設足場用部材の正面図である。
【図６】本発明の実施形態に係る仮設足場用部材の実施例の説明図その１である。
【図７】本発明の実施形態に係る仮設足場用部材の実施例の説明図その２である。
【発明を実施するための形態】
【００１８】
以下、本発明を実施するための形態に係る仮設足場用部材を、図面を参照して、説明する。
図１は、本発明の実施形態に係る仮設足場用部材の断面図である。図２は、本発明の実施形態に係る仮設足場用部材の拡大断面図である。図３は、本発明の実施形態に係る仮設足場用部材の側面側面図である。図４は、本発明の実施形態に係る仮設足場の斜視図である。図５は、本発明の実施形態に係る仮設足場用部材の正面図である。
【００１９】
仮設足場は、作業効率向上、安全のために、建築現場等で仮設する足場である。
仮設足場用部材は、仮設足場を構成する部材である。
仮設足場用部材を互いに連結して、仮設足場を組み立てる。
図４は、仮設足場と仮設足場用部材の一例を示す。
図４に示す仮設足場は、手摺１００、ブラケット２００、支柱３００、踏板４００とで構成される。
【００２０】
支柱３００は、支柱部３１０と被連結部３２０とで構成される。
支柱３００は、支柱部３１０と４つの被連結部３２０とで構成されてもよい。
支柱部３１０は、使用状態で垂直に立てる長手部材である。
支柱部３１０は、使用状態で垂直に立てる円管であってもよい。
支柱部３１０は、上方向に重ねるためにつぎ足し部３３０をもっていてもよい。
つぎ足し部の外径は、支柱部本体３１０の内径より小さい、
下の支柱部３１０のつぎ足し部３３０が上の支柱部３００の支柱部本体３１０に挿入されて、上下の足場用支柱３００がつぎ足される。
連結部３２０は、上から見てコの字状の板形状をもち支柱部３１０の側面に端部を固定される。
【００２１】
手摺１００、ブラケット２００の連結部が支柱３００の側面に設けられるコの字状のコマ（被連結部）に差し込まれ、くさび効果により連結する。
踏板４００の連結部がブラケット２００の側面に設けられるコの字状のコマ（被連結部２２０）に差し込まれ、くさび効果により連結する。
以下では、説明の便宜上、手摺１００に本願発明を適用した場合を例に、構造を説明する。
【００２２】
本発明の実施形態にかかる仮設足場用部材は、本体１０と構造体２０とで構成される。
本体１０は、仮設足場用部材の本体である。
構造体２０は、本体に追加される構造である。
本体１０は、棒状部１１と連結部１２とで構成される。
本体１０は、棒状部１１と１対の連結部１２とで構成されてもよい。
【００２３】
棒状部１１は、管状の鋼材でできた部分である。
棒状部１１は、円管状の鋼材でできた部分であってもよい。
棒状部１１は、他の輪郭をもつ管状の鋼材でできた部分であってもよい。
【００２４】
連結部１２は、棒状部１１の端部に固定され他の仮設足場用部材に連結できる部分である。
連結部１２は、棒状部１１の端部に固定され他の仮設足場用部材の被連結部に連結できる部分である。
連結部１２は、くさび形状をしていてもよい。
被連結部は上から見てコの字状のコマであってもよい。
１対の連結部１２は、棒状部１１の両端部に固定され他の仮設足場用部材に連結できる部分である。
【００２５】
構造体２０は、棒状部１１を形成する管状の鋼材の内部に挿入された部材である。
構造体２０は、棒状部１１を形成する管状の鋼材の内部に棒状部１１の長手方向に沿って挿入された部材である。
構造体２０は、棒状部１１を形成する管状の鋼材の内部に挿入された長尺の部材であってもよい。
構造体２０は、棒状部１１を形成する管状の鋼材の内部に棒状部１１の長手方向に沿って挿入された長尺の部材である。
【００２６】
構造体２０が、棒状部１１を形成する管状の鋼材の内壁に接触してもよい。
構造体２０が、棒状部１１を形成する管状の鋼材の内壁に挿入される様に板状の鋼材を曲げて形成されてもよい。
構造体２０が、棒状部１１を形成する管状の鋼材の内壁に挿入される様に板状の鋼材を折り曲げて形成されてもよい。
【００２７】
構造体２０が、板状の鋼材を断面が円形または多角形の輪郭を持つように曲げてできた筒状の部材であってもよい。
【００２８】
図３に、板状の鋼材を断面形状の６例を示す。
図３（Ａ）は、五角柱の輪郭をもつ構造体を示す。
図３（Ｂ）は、円柱の輪郭をもつ構造体を示す。
図３（Ｃ）は、四角柱の輪郭をもつ構造体を示す。
図３（Ｄ）は、波板状の輪郭をもつ構造体を示す。
図３（Ｅ）は、十字状の輪郭をもつ構造体を示す。
図３（Ｆ）は、十字状の輪郭をもつ他の構造体を示す。
【００２９】
構造体２０が、板状の鋼材を断面が多角形の輪郭を持つように折り曲げてできた筒状の部材であってもよい。
多角形の角部が棒状部１１を形成する管状の鋼材の内壁に接触してもよい。
【００３０】
構造体２０が、連結部を他の仮設足場用部材の被連結部に連結させる際にハンマーで打撃する打撃点Ｆを含む本体１０の長手方向の領域に重複する様に配されてもよい。
図２は、構造体２０が、連結部を他の仮設足場用部材の被連結部に連結させる際にハンマーで打撃する打撃点Ｆを含む本体１０の長手方向の領域に重複する様に配される様子を示す。
一般に本体１０の打撃点の箇所は補強され、打撃により変形を防ぐ様になっている。
例えば、本体１０の打撃点の箇所は他の箇所より肉厚になっている。
【００３１】
一対の構造体２０が、棒状部１１の両端部の側に別れて配されてもよい。
【００３２】
仮設足場用部材がメッキされていてもよい。
【実施例】
【００３３】
本発明の実施形態にかかる仮設足場用部材である手摺の実施例を、図を基に、説明する。
図６は、本発明の実施形態に係る仮設足場用部材の実施例の説明図その１である。図７は、本発明の実施形態に係る仮設足場用部材の実施例の説明図その２である。
実施例では、他車の手摺と自社の手摺と本発明の実施形態にかかる仮設足場用部材である手摺の２タイプの打撃試験を行い、本願発明の効果を確認した。
試験に供した仮設足場用部材（手摺）は、以下の通りである。
他社布材Ａ  ：他社製手摺（構造体なし）
現行布材Ｂ  ：自社製手摺（構造体なし）
改良側布材Ｃ：自社製手摺（構造体が板材を円柱状に折り曲げたもの）
改良型布材Ｄ：自社製手摺（構造体が板材を五角柱に折り曲げたもの）
他社布材Ａ、現行布材Ｂは比較のために打撃試験に供した。
他社布材Ａが一般鋼材を用いていいるのに対し、現行布材Ｂは高張力鋼材を用いているため、現行布材Ｂの棒状部の板厚は他社布材Ａの棒状部の板厚より薄い。
図６は、本発明の実施形態にかかる仮設足場用部材（手摺）の効果を試験するための試験方法を示す。
図７は、本発明の実施形態にかかる仮設足場用部材（手摺）の試験結果を示す。
試験結果から、改良側布材Ｃ、改良型布材Ｄは共に、他社布材Ａ、現行布材Ｂに比べて
打撃音の騒音レベルが低いことを確認した。
これは、棒状部の振動と構造体の振動とが干渉しあい、改良側布材Ｃ、改良側布材Ｄを打撃したときの音響レベルが他社布材Ａ、他社布材Ｂを打撃したときの音響レベルより抑えられたものと考えられる。
【００３４】
本発明の実施形態に係る仮設足場用部材は、その構成により、以下の効果を有する。
端部に他の仮設足場用部材に連結できる連結部を固定された棒状部の管状の内部に構造部を挿入される様にしたので、本体がハンマーにより打撃された時に本体の振動と構造体の振動が干渉しあい打撃音が減少する。
両端部に他の仮設足場用部材に連結できる連結部を固定された棒状部の管状の内部に構造部を挿入される様にしたので、本体がハンマーにより打撃された時に本体の振動と構造体の振動が干渉しあい打撃音が減少する。
また、構造体が棒状部を形成する管状の鋼材の内壁に接触する様にしたので、本体がハンマーにより打撃された時に本体の振動と構造体の振動が干渉しあい打撃音が減少する。
また、構造体が棒状部を形成する管状の鋼材の内壁に挿入される様に板状の鋼材を折り曲げて形成される様にしたので、本体がハンマーにより打撃された時に本体の振動と構造体の板状の鋼材の振動が干渉しあい打撃音が減少する。
また、構造体が板状の鋼材を断面が円形または多角形の輪郭を持つように曲げてできた筒状の部材である様にしたので、本体がハンマーにより打撃された時に本体の振動と構造体の円形または多角形に折り曲げられた板状の鋼材の振動が干渉しあい打撃音が減少する。
また、構造体が板状の鋼材を断面が多角形の輪郭を持つように折り曲げてできた筒状の部材であり、多角形の角部が棒状部を形成する管状の鋼材の内壁に接触する様にしたので、本体がハンマーにより打撃された時に本体の振動と構造体の多角形に折り曲げられた板状の鋼材の振動が干渉しあい打撃音が減少する。
また、構造体が連結部を他の仮設足場用部材の被連結部に連結させる際にハンマーで打撃する打撃点を含む本体の長手方向の領域に重複する様に配される様にしたので、本体がハンマーにより打撃された時に本体の振動と板状の鋼材の振動がより干渉しあい打撃音が減少する。
また、一対の構造体が棒状部の両端部の側に別れて配される様にしたので、本体の両端部がハンマーにより打撃された時に本体の振動と板状の鋼材の振動がより干渉しあい打撃音が減少する。
また、起立する他の仮設足場様部材である支柱に連結部を連結して水平に延びる手摺に本願構造を採用したので、手摺がハンマーにより打撃された時に手摺の本体の振動と構造体の振動が干渉しあい打撃音が減少する。
【００３５】
本発明は以上に述べた実施形態に限られるものではなく、発明の要旨を逸脱しない範囲で各種の変更が可能である。
仮設足場用部材を説明するのに手摺を例に説明したが、これに限定されない。例えば、仮設足場用部際がブラケットであってもよい。このとき、仮設足場用部材は、本体１０と構造体２０と筋交いとで構成されてもよい。
【符号の説明】
【００３６】
Ｆ  打撃点
１００  手摺
２００  ブラケット
２２０  被連結部
３００  支柱
３１０  支柱部
３２０  被連結部
３３０  につぎ足し部
４００  踏板
１０  本体
１１  棒状部
１２  連結部
１３  筋かい部
２０  構造体
２０ａ  構造体
２０ｂ  構造体
【先行技術文献】
【特許文献】
【００３７】
【特許文献１】実開２００２−１３８６６１号
【図１】
2019094618.tif 000003
【図２】
2019094618.tif 000004
【図３】
2019094618.tif 000005
【図４】
2019094618.tif 000006
【図５】
2019094618.tif 000007
【図６】
2019094618.tif 000008
【図７】
2019094618.tif 000009